(57)【要約】【課題】  容易で効率的に回線の切替えを実現する。【解決手段】  ユーザー端末からの回線を収容する端子板から弾器機能を有する第１の保安器を介して通信回線網に接続されている状態から、弾器機能の無い第２の保安器に切替えて他の通信回線網への切替えを行うための回線切替方法において、遠隔で切替操作を行う遠隔切替装置に接続されたプラグコードの先に設けられた試験プラグを前記第1の保安器に接続させ、前記端子板からの通信線と、前記遠隔切替装置からのプラグコードとをコネクタにより接続させ、前記遠隔切替装置からのプラグコードと、前記第２の保安器からの通信線とをコネクタにより接続させて、前記遠隔切替装置は、前記端子板から前記第1の保安器までの通信を導通状態から非導通状態にさせると同時に、前記端子板からコネクタを介して送られた信号を、コネクタを介して前記第２の保安器に出力させることで回線の切替えを行う。【選択図】  図２
2005244800.tif 000002
【特許請求の範囲】
【請求項１】
ユーザー端末からの回線を収容する端子板から弾器機能を有する第１の保安器を介して通信回線網に接続されている状態から、弾器機能の無い第２の保安器に切替えて他の通信回線網への切替えを行うための回線切替方法において、
遠隔で切替操作を行う遠隔切替装置に接続されたプラグコードの先に設けられた試験プラグを前記第1の保安器に接続させ、
前記端子板からの通信線と、前記遠隔切替装置からのプラグコードとをコネクタにより接続させ、
前記遠隔切替装置からのプラグコードと、前記第２の保安器からの通信線とをコネクタにより接続させて、
前記遠隔切替装置は、前記端子板から前記第1の保安器までの通信を導通状態から非導通状態にさせると同時に、前記端子板からコネクタを介して送られた信号を、コネクタを介して前記第２の保安器に出力させることで回線の切替えを行うことを特徴とする回線切替方法。
【請求項２】
前記コネクタは、
前記遠隔切替装置からのプラグコードと、前記端子板からの通信線及び前記第２の保安器からの通信線とを１線単位で接続することを特徴とする請求項１に記載の回線切替方法。
【請求項３】
請求項１又は請求項２に記載の回線切替方法に用いられるコネクタにおいて、
少なくとも１つの面に結線させるプラグコード及び／又は通信線を識別するための配線識別情報及び／又は接続先の装置を識別するための装置識別情報を表示することを特徴とするコネクタ。
【請求項４】
前記配線識別情報及び前記装置識別情報を記載したシートを貼り付けることで表示を行うことを特徴とする請求項３に記載のコネクタ。
【発明の詳細な説明】
【技術分野】
【０００１】
本発明は、回線切替方法及び該回線切替方法に用いられるコネクタに関し、特に、容易で効率的に回線の切替を実現するための回線切替方法及び該回線切替方法に用いられるコネクタに関する。
【背景技術】
【０００２】
従来、電話やコンピュータ等、通信機能を有する機器間の通信回線（電線）を中継、又は分岐するための機器として端子板が用いられている。特に、電話局等においては、膨大な数の回線や端子を管理する必要があるため、加入者ケーブルを交換機に直接接続せずに、所定の地域や建物毎に設けられた端子板に収容して管理している。
【０００３】
更に、交換機と端子板の間には雷等による過電流や過電圧を遮断して交換機や通信機器等を保護するための保安器が設けられている。保安器は、回線を断線させたり、信号の取り出しを行うための弾器機能と、雷等による過電流や過電圧を遮断する保安素子を設けた構成となっている（例えば、特許文献１参照。）。
【０００４】
ここで、回線の切替えの場合には、一般的に弾器機能を利用して装置の切替を行うが、切替方法としては、例えば、弾器に遠隔切替装置に接続されたプラグコードの先に設けられた試験プラグを挿入しておき、制御装置からリモートコントロールにより装置の切替えを行う方法がある。遠隔切替装置に接続されたプラグコードの先に設けられた試験プラグを差込むことにより遠隔操作が実現可能となったため、切替作業時刻にわざわざ保安器の設置場所まで赴くことがなく、遠隔地等からの遠隔操作により回線切替えを行うことができる。
【０００５】
また、回線切替終了後は、コネクタを急いで取り外す必要もなく、後日他の作業のついでに取り外しを行えばよい。そのため、回線の切替工事を効率的に行うことができる。ここで、従来の回線切替方法について図を用いて説明する。図１は、従来における回線切替方法を説明するための図である。
【０００６】
図１は、従来におけるＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線からＡＤＳＬ（Ａｓｙｍｍｅｔｒｉｃ  Ｄｉｇｉｔａｌ  Ｓｕｂｓｃｒｉｂｅｒ  Ｌｉｎｅ）回線への遠隔切替方法を説明するための一例の図である。
【０００７】
図１は、遠隔切替装置１１と、ＭＤＦ（Ｍａｉｎ  Ｄｉｓｔｒｉｂｕｔｉｏｎ  Ｆｒａｍｅ）１２に設置される端子板１３−１，１３−２及び弾器付保安器１４−１，１４−２と、ＩＳＤＮ用交換機１５と、アナログ電話用交換機１６と、スプリッタ１７と、ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）１８とを有するよう構成されている。
【０００８】
ここで、切替前の段階では、ユーザー回線（加入者回線）から端子板１３−１に接続され、端子板１３−１から弾器付保安器１４−１に接続され、弾器付保安器１４−１からＩＳＤＮ用交換機１５に接続することでＩＳＤＮ回線に接続されている。
【０００９】
また、ＡＤＳＬ回線を使用するためには、端子板１３−１から弾器付保安器１４−３に接続し、弾器付保安器１４−３からスプリッタ１７へ接続する。スプリッタ１７は、入力される電話と重畳したＡＤＳＬ信号と電話信号とを分離する装置である。スプリッタ１７は、入力した信号から分離した電話信号を端子板１３−２に出力する。また、スプリッタ１７は入力された信号から分離したＡＤＳＬ信号をＤＳＬＡＭ１８に出力する。
【００１０】
端子板１３−２に入力された電話信号は、弾器付保安器１４−２に入力され、アナログ電話用交換機１６に出力される。これにより、ＡＤＳＬ回線及びアナログ電話回線の接続が可能となる。
【００１１】
ここで、ＩＳＤＮ回線からＡＤＳＬ回線及びアナログ電話回線への切替えを行う場合には、遠隔切替装置１１から弾器付保安器１４−１及び弾器付保安器１４−３に設けられた弾器に、遠隔切替装置１１に接続されたプラグコードの先に設けられた試験プラグ１９を挿入する。具体的には、弾器付保安器１４−１には、遠隔切替装置１１に接続されたプラグコードの先に設けられた試験プラグ１９−１が挿入され、弾器付保安器１４−３には、遠隔切替装置１１に接続されたプラグコードの先に設けられた試験プラグ１９−２が挿入される。また、端子板１３−１と弾器付保安器１４−１とを接続している通信線を切断しておく。
【００１２】
遠隔切替装置１１は遠隔地等から制御回線で送られる制御信号により、最初はＩＳＤＮ回線で信号の送受信を可能にするため、ユーザー回線から端子板１３−１に入力された信号を弾器付保安器１４−３に出力させる。また、弾器付保安器１４−３は、挿入された試験プラグ１９−２を介して遠隔切替装置１１に信号を出力し、制御信号により遠隔切替装置１１に接続されたプラグコードの先に設けられた試験プラグ１９−１が挿入された弾器付保安器１４−１に信号を出力させて、弾器付保安器１４−１からＩＳＤＮ用交換機に出力させる。
【００１３】
そして、ＡＤＳＬ回線への切替え時には、端子板１３−１に入力された信号を弾器付保安器１４−３に出力する。また、弾器付保安器１４−３は、挿入された試験プラグ１９−２を介して遠隔切替装置１１に出力し、遠隔切替装置１１から折り返されて再び弾器付保安器１４−１に出力されるよう制御する。つまり、ＩＳＤＮ回線からＡＤＳＬ回線及びアナログ電話回線への切替えを行う場合には、遠隔切替装置１１は、端子板１３−１から弾器付保安器１４−１までの通信を導通状態から非導通状態にさせると同時に、弾器付保安器１４−３から送られた信号を前記第２の保安器に折り返して出力させることで遠隔地等から回線の切替えを実現することができる。
【特許文献１】特開２００３−２１９４３８号公報
【発明の開示】
【発明が解決しようとする課題】
【００１４】
ところで、最近では通信回線の増加に伴い、高密度化に対応する要請が年々高まる傾向にあるが、電話局に設置されている通信機器用保安器は、ＭＤＦへの取付寸法が決まってしまっている。そこで、ＡＤＳＬ回線では、信号取り出し機能は必要ない等の理由から、弾器機能を削除することで、保安器のコストダウンと小型化、高密度化を図っている。
【００１５】
しかしながら、弾器機能を有していない保安器を設置した後で回線の切替えが発生した場合、弾器機能を有していないため、保安器自体を交換しなければならないという問題が生じるが、その場合は、保安器の費用と交換作業が発生するためコストがかかってしまう。
【００１６】
本発明は、上述した問題点に鑑みなされたものであり、容易で効率的に回線の切替えを実現するための回線切替方法及び該回線切替方法に用いられるコネクタを提供することを目的とする。
【課題を解決するための手段】
【００１７】
上記課題を解決するために、本件発明は、以下の特徴を有する課題を解決するための手段を採用している。
【００１８】
請求項１に記載された発明は、ユーザー端末からの回線を収容する端子板から弾器機能を有する第１の保安器を介して通信回線網に接続されている状態から、弾器機能の無い第２の保安器に切替えて他の通信回線網への切替えを行うための回線切替方法において、遠隔で切替操作を行う遠隔切替装置に接続されたプラグコードの先に設けられた試験プラグを前記第1の保安器に接続させ、前記端子板からの通信線と、前記遠隔切替装置からのプラグコードとをコネクタにより接続させ、前記遠隔切替装置からのプラグコードと、前記第２の保安器からの通信線とをコネクタにより接続させて、前記遠隔切替装置は、前記端子板から前記第1の保安器までの通信を導通状態から非導通状態にさせると同時に、前記端子板からコネクタを介して送られた信号を、コネクタを介して前記第２の保安器に出力させることで回線の切替えを行うことを特徴とする。
【００１９】
請求項１記載の発明によれば、保安器について信号の取り出し機能の有無に関わらず回線の切替えを容易に実現することができる。また、遠隔操作により回線を切替えるため、作業員が切替作業時刻にわざわざ保安器の設置場所まで赴くことがなく、遠隔地等からの遠隔操作により回線切替えを行うことができる。また、回線切替終了後は、コネクタを急いで取り外す必要もなく、後日他の作業のついでに取り外しを行えばよい。そのため、回線の切替工事を効率的に行うことができる。
【００２０】
請求項２に記載された発明は、前記コネクタは、前記遠隔切替装置からのプラグコードと、前記端子板からの通信線及び前記第２の保安器からの通信線とを１線単位で接続することを特徴とする。
【００２１】
請求項２記載の発明によれば、１回線単位で信号の取り出し機能を付与することができるため、必要最小限の回線の切り替えを実現することができる。このため、部品の共有化等による装置コストを削減することができる。
【００２２】
請求項３に記載された発明は、請求項１又は請求項２に記載の回線切替方法に用いられるコネクタにおいて、少なくとも１つの面に結線させるプラグコード及び／又は通信線を識別するための配線識別情報及び／又は接続先の装置を識別するための装置識別情報を表示することを特徴とする。
【００２３】
請求項３記載の発明によれば、本発明において使用するコネクタには、装置識別情報及び／又は配線識別情報をコネクタの表面に表示することにより、作業員の配線時の配線ミスを削減し、作業効率を向上させることができる。これにより、人件費を抑えることができコストを削減することができる。
【００２４】
請求項４に記載された発明は、前記配線識別情報及び前記装置識別情報を記載したシートを貼り付けることで表示を行うことを特徴とする。
【００２５】
請求項４記載の発明によれば、本発明におけるコネクタを使い回しすることもできるため、部品の共有化等による装置コストを削減することができる。
【発明の効果】
【００２６】
本発明によれば、容易で効率的に回線の切替えを実現することができる。
【発明を実施するための最良の形態】
【００２７】
次に、本発明における実施の形態について図を用いて説明する。図２は、本発明における回線切替方法を説明するための図である。
【００２８】
図２は、本発明におけるＩＳＤＮ回線からＡＤＳＬ回線への遠隔切替方法を説明するための一例の図である。図２は、遠隔切替装置２１と、ＭＤＦ２２に設置される端子板２３−１，２３−２と、弾器付保安器２４−１，２４−２と、弾器無保安器３０と、ＩＳＤＮ用交換機２５と、アナログ電話用交換機２６と、スプリッタ２７と、ＤＳＬＡＭ２８と、コネクタ３１とを有するよう構成されている。
【００２９】
まず、切替前の段階は、上述した図１と同様にユーザー回線から端子板２３−１に接続され、端子板２３−１から弾器付保安器２４−１に接続され、弾器付保安器２４−１からＩＳＤＮ用交換機２５に接続することで、ＩＳＤＮ回線に接続されている。
【００３０】
また、ＡＤＳＬ回線を使用するためには、端子板２３−１から弾器無保安器３０に接続し、弾器無保安器３０からスプリッタ２７へ接続する。スプリッタ２７は、入力した信号から分離した電話信号を端子板２３−２に出力する。また、スプリッタ２７は入力された信号から分離したＡＤＳＬ信号をＤＳＬＡＭ２８に出力する。
【００３１】
端子板２３−２に入力された電話信号は、弾器付保安器２４−２に入力され、アナログ電話用交換機２６に出力される。これにより、ＡＤＳＬ回線及びアナログ電話回線の接続が可能となる。
【００３２】
ここで、ＩＳＤＮ回線からＡＤＳＬ回線及びアナログ電話回線への切替えを行う場合には、弾器無保安器３０には、弾器機能（信号の取り出し機能）を有していないため、図１に示すような遠隔操作の切替えを行うことができない。そこで、本発明ではコネクタ３１を介して遠隔切替装置２１を中継させることにより、切替えを容易で効率的に行うことができる。
【００３３】
具体的には、弾器付保安器２４−１には、遠隔切替装置２１に接続されたプラグコードの先に設けられた試験プラグ２９−１が挿入される。また、端子板２３−１からの通信線をコネクタ３１−１に接続し、コネクタ３１−１に遠隔切替装置２１のプラグコードを接続する。また、遠隔切替装置２１からのもう一方のプラグコードをコネクタ３１−２に接続し、弾器無保安器３０からの通信線をコネクタ３１−２に接続する。また、端子板２３−１と弾器付保安器２４−１とを接続している通信線を切断しておく。このように配線することで、遠隔切替装置を容易に中継させることができる。なお、上述のコネクタ３１の形状については、例えばクリップ形状のコネクタ等を使用することができる。なお、コネクタについては後述する。
【００３４】
遠隔切替装置２１は、遠隔地等から制御回線で送られる制御信号により、最初はＩＳＤＮ回線で信号の送受信を可能にするため、端子板２３−１からの信号をコネクタ３１−１を介して遠隔切替装置２１に入力させ、入力された信号を遠隔切替装置２１に接続されたプラグコードの先に設けられた試験プラグ２９−１を介して挿入された弾器付保安器２４−１に出力させ、弾器付保安器１４−１からＩＳＤＮ用交換機に出力させる。
【００３５】
そして、ＡＤＳＬ回線への切替え時には、端子板２３−１に入力された信号をコネクタ３１−１を介して遠隔切替装置２１に入力させ、入力された信号を遠隔切替装置２１に接続されたプラグコードと接続されたコネクタ３１−２を介して弾器無保安器３０に出力させる。
【００３６】
つまり、回線切替え時には、遠隔切替装置２１は、端子板２３−１から弾器付保安器２４−１までの通信を導通状態から非導通状態にさせると同時に、端子板２３−１からコネクタ３１−１を介して送られた信号を、コネクタ３１−２を介して弾器無保安器３０に出力させることで遠隔地等から回線の切替えを実現することができる。
【００３７】
なお、切替終了後は、コネクタ３１を急いで取り外す必要もなく、後日他の作業のついでに取り外しを行えばよい。そのため、取り付け工事の簡略化を図ることができ、作業効率を向上させることができる。
【００３８】
このため、人件費を抑えることができコストを削減することができる。更に、本発明にて用いられるコネクタは使い回しができ、更に、１回線単位で信号の取り出し機能を付与することができるため、遠隔切替装置を接続することができる。このため、部品の共有化等による装置コストを削減することができる。
【００３９】
次に、本発明におけるコネクタの接続方法について図を用いて説明する。図３は、本発明におけるコネクタの接続方法の第１の例を示す図である。図３は、図２に示す端子板２３−１からの通信線（ジャンパ線）４２−１，４２−２と、弾器無保安器３０からの通信線（ジャンパ線）４２−３，４２−４とを有している。なお、図３においては、通信回線網に繋がっている信号をＩＮ回線とし、ユーザー回線に繋がっている信号をＯＵＴ回線としている。
【００４０】
また、遠隔切替装置２１からの回線には、ＩＮ回線２線とＯＵＴ回線２線とからなる合成４線のプラグコード４３−１〜４３−４を有している。
【００４１】
ここで、コネクタ４４は、図３に示すように、端子板２３−１及び弾器無保安器３０からの通信線と、遠隔切替装置２１からのプラグコードを相互に１線単位で接続する。このため、合計４つのコネクタ４４−１〜４４−４を用いて結線される。このように接続することにより、遠隔切替装置２１との容易な接続が可能となり、試験プラグ２９−１側にある弾器付保安器２４−１の回線切替えを実現することができる。
【００４２】
次に、上述したコネクタの一例について、説明する。図４は、本実施の形態で用いられるコネクタの一例を示す図である。なお、図４（ａ）はコネクタの上面図、図４（ｂ）は、コネクタの側面図、図４（ｃ）は、プラグコード又は通信線と接続する接続面を示している。図４に示すように、コネクタ４４には、中央から左右対称に上部ケース５１と下部ケース５２とを有し、上部ケース５１は、下方向に押力を加えることにより下に移動することができ、力を加えないと元の状態に戻るように構成されている。また、下部ケース５２には、図４（ｃ）に示すように開口部５３を有しており、開口部５３内にある上下動可能な端子５４は、上部ケース５１の上下への移動に対応して開いたり、閉じたりすることができる。
【００４３】
つまり、図４に示すコネクタ４４は、いわゆるクリップ形成となっており、通信線４２又はプラグコード４３との結線をする場合は、上部ケース５１を指等により押下することで端子も下に移動させた状態にし、開口部５３内に被覆を剥いた通信線を挿入し指を離すことで、端子５４が閉まり結線される。これにより、遠隔切替装置との接続を容易に行うことができる。なお、本発明において用いられるコネクタ４４は、図４に示すようにクリップ式の結線構成に限らず、例えばネジ止めにより１線単位で結線されるコネクタであってよい。
【００４４】
なお、本発明における切替方法は、弾器機能の無い保安器（弾器無保安器）に限らず、弾器付保安器にも同様に適用することができる。ここで、弾器付保安器の場合の遠隔切替装置への切替方法について図を用いて説明する。図５は、本発明におけるコネクタの接続方法の第２の例を示す図である。なお、図５においては、図３と同様に通信回線網に繋がっている信号をＩＮ回線とし、ユーザー回線に繋がっている信号をＯＵＴ回線としている。
図５では、遠隔操作用の試験プラグ６１に、色の異なるＩＮ回線及びＯＵＴ回線が２本ずつ有している。試験プラグ６１からのプラグコード６２−１〜６２−４は、各々が遠隔切替装置２１からのプラグコード４３−１〜４３−４にコネクタ４４−１〜４４−４を介して接続される。このとき、試験プラグ６１のプラグコード６２の色と、遠隔切替装置２１からのプラグコード４３−１〜４３−４の色とを対応付けて接続する。つまり、プラグコード４３−３とプラグコード６２−１，プラグコード４３−１とプラグコード６２−２，プラグコード４３−２とプラグコード６２−３，及びプラグコード４３−４とプラグコード６２−４が各々に対応するコネクタ４４−１〜４４−４で接続されることになる。
【００４５】
これにより、作業員の結線時の作業ミスをある程度防止し、作業効率を向上させることができる。図３及び図５に示すように、本発明における回線切替方法によれば、保安器における信号の取り出し機能の有無に関わらず、使用することができ、信号の取り出し機能の要、不要に柔軟に対応でき、部品の共用化、コストダウン、取り付け工事の簡略化を図ることができる。
【００４６】
ところで、図３及び図５においては、１つの回線において４つのコネクタが接続されるため、作業ミス等による結線のミスがないとは言い切れない。また、もしミスがあったとした場合、プラグコードや通信線の結線ミスなのか、遠隔切替装置から交換機や保安器への結線ミスなのかを判断するのに時間がかかってしまう恐れがある。そこで、本発明では予め接続が予定されている配線識別情報又は接続先の装置識別情報をコネクタに表示しておくことにより、結線ミス等を防止し作業効率を向上させる。
【００４７】
ここで、上述の内容について図を用いて説明する。図６は、本発明におけるコネクタの表示例を示す一例の図である。なお、図６（ａ）は、コネクタの上面図、図６（ｂ）はコネクタの側面図を示している。また、図６のコネクタは、図４に示すコネクタと同様の構成であるが、本発明においてコネクタの形状はこの限りではない。
【００４８】
図６（ａ）に示すように、コネクタの上面に、結線するプラグコードや通信線を識別するための配線識別情報７１が表示されている。具体的には、例えば、結線する色が黄色の場合、プラグコードや通信線の色を識別するために「黄」の文字が入ったシートや黄色のシートからなる裏面が粘着性のあるシールをコネクタ４４に貼り付ける。なお、色彩による識別に限らず、例えば模様や番号等により識別することもできる。
【００４９】
また、結線先が端子板なのか保安器なのか、またどの端子板なのか等を識別するための装置識別情報７２をコネクタに表示する。具体的には、例えば“端子板Ａ”に接続される場合、その端子板名（識別名称等）が記載されたシールをコネクタの上面に貼り付ける。
【００５０】
なお、上述した配線識別情報７１及び装置識別情報７２は、図６（ｂ）に示すようにコネクタの側面に貼り付けてもよい。また、表示方法はこの限りではなく、例えば、コネクタの上面と側面の両方に配線識別情報７１及び装置識別情報７２を貼り付けたり、配線識別情報７１又は装置識別情報７２の何れか一方のみを貼り付けてもよい。シール等で表示することにより、色のついたコネクタを新たに作成する必要もなく、既存の同色のコネクタにシール等によりプラグコードや通信線、装置の識別情報を付与することで、コネクタの再使用を容易に行うことができ、経済的である。
【００５１】
また、本発明では、シールによりコネクタに貼り付ける方法だけに限らず、例えば、あるシート上に配線識別情報７１及び装置識別情報７２を記載し、接着剤や透明テープ等によりコネクタに接着させてもよい。
【００５２】
上述したように本発明によれば、端子板と保安器との間で遠隔切替装置のプラグコードと接続するためのコネクタを設け、通信線とプラグコードとをコネクタに接続することで、容易に遠隔切替装置を中継することができる。これにより、例えば、信号の取り出し機能を設けていない保安器についても回線の切替えを容易に実現することができる。
【００５３】
更に、遠隔操作においては、１つの制御装置で複数の回線の信号の入出力を一括して管理することにより、保安器に接続されている回線の接続状態を容易に管理することができる。
【００５４】
また、コネクタの使用により、事前に切替可能な配線にしておくことで、遠隔操作が実現可能となったため、切替作業時刻にわざわざ保安器の設置場所まで赴くことがなく、遠隔地等からの遠隔操作により回線切替えを行うことができる。
【００５５】
また、回線切替え終了後は、コネクタを急いで取り外す必要もなく、後日他の作業のついでに取り外しを行えばよい。そのため、回線の切替工事を効率的に行うことができる。
【００５６】
更に、本発明において使用するコネクタには、作業者がコネクタに接続する回線や交換機等の通信機器が容易にわかるように装置名が記載されたシールや回線の色に対応させた色彩の異なるシール等からなる装置識別情報又は配線識別情報をコネクタの表面に付加又は接着しておくことにより、作業員の配線時の配線ミスを削減し、作業効率を向上させることができる。これにより、人件費を抑えることができコストを削減することができる。
【００５７】
更に、本発明におけるコネクタは使い回しもでき、更に、１回線単位で信号の取り出し機能を付与することができるため、必要最小限の回線の切り替えを実現することができる。このため、部品の共有化等による装置コストを削減することができる。
【００５８】
以上、本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００５９】
【図１】従来における回線切替方法を説明するための図である。
【図２】本発明における回線切替方法を説明するための図である。
【図３】本発明におけるコネクタの接続方法の第１の例を示す図である。
【図４】本実施の形態で用いられるコネクタの一例を示す図である。
【図５】本発明におけるコネクタの接続方法の第２の例を示す図である。
【図６】本発明におけるコネクタの表示例を示す一例の図である。
【符号の説明】
【００６０】
１１，２１  遠隔切替装置
１２，２２  ＭＤＦ
１３，２３  端子板
１４，２４  弾器付保安器
１５，２５  ＩＳＤＮ用交換機
１６，２６  アナログ電話用交換機
１７，２７  スプリッタ
１８，２８  ＤＳＬＡＭ
１９，２９，６１  試験プラグ
３０  弾器無保安器
３１，４４  コネクタ
４２  通信線（ジャンパ線）
４３，６２  プラグコード
５１  上部ケース
５２  下部ケース
５３  開口部
５４  端子
７１  配線識別情報
７２  装置識別情報
【図１】
2005244800.tif 000003
【図２】
2005244800.tif 000004
【図３】
2005244800.tif 000005
【図４】
2005244800.tif 000006
【図５】
2005244800.tif 000007
【図６】
2005244800.tif 000008